(57)【要約】【課題】加湿フィルターの洗浄時期までの運転可能時間を設定することのできる加湿装置を提供することを目的とする。【解決手段】本体４の空気流路３に設けられる送風手段５および加湿フィルター７を設けた加湿手段８と、加湿手段８の加湿フィルター７に水を供給する給水手段９と、給水手段９から供給された水を蓄える水槽１０と、水槽１０内に設けた電気伝導度を計測する計測手段１１と、本体４に設けた送風手段５および加湿手段８等を運転制御する制御手段１２とを備え、制御手段１２を、計測手段１１による電気伝導度の計測値のより、加湿フィルター７の使用開始から運転可能時間を設定することのできる加湿装置を得られる。【選択図】図１
2007139286.tif 000002
【特許請求の範囲】
【請求項１】
吸込口と吹出口を連通し形成された空気流路を設けた本体と、この本体の空気流路に設けられる送風手段および加湿フィルターを設けた加湿手段と、この加湿手段の加湿フィルターに水を供給する給水手段と、この給水手段から供給された水を蓄える水槽と、この水槽内に設けた空気伝導度を計測する計測手段と、前記本体に設けた送風手段および加湿手段等を運転制御する制御手段とを備え、この制御手段は前記計測手段による電気伝導度の計測値により、前記加湿フィルターの使用開始からの運転可能時間を設定する構成とした加湿装置。
【請求項２】
加湿フィルターの使用開始時を、計測手段により計測された電気伝導度が零のときとした請求項１記載の加湿装置。
【請求項３】
本体の表面に報知手段を設け、制御手段は設定された加湿フィルター洗浄までの運転可能時間より一定時間前に、前記報知手段を駆動して加湿フィルターが洗浄時間に近づいたことを報知する構成とした請求項１または２記載の加湿装置。
【請求項４】
制御手段は、運転時間と停止時間の計測値に応じて、設定した加湿フィルターの運転可能時間を変更可能とした請求項１〜３のいずれかに記載の加湿装置。
【請求項５】
制御手段は加湿フィルターを通過する送風量の多少に応じて、設定した加湿フィルターの運転可能時間を変更可能とした請求項１〜４のいずれかに記載の加湿装置。
【請求項６】
加熱手段の通電制御により温風運転と通風運転を切り換え可能に設け、温風運転と通風運転の運転時間に応じて、設定した加湿フィルターの運転可能時間を変更可能とした請求項１〜５のいずれかに記載の加湿装置。
【請求項７】
運転時間が設定した加湿フィルターの運転可能時間を超えたときには、制御手段は加湿運転を自動停止する構成とした請求項１〜６のいずれかに記載の加湿装置。
【請求項８】
制御手段は加湿運転を自動停止したときに、異なる報知表現をするように報知手段を駆動して、加湿フィルターの洗浄時期となったことを報知する構成とした請求項７記載の加湿装置。
【発明の詳細な説明】
【技術分野】
【０００１】
本発明は、電気伝導度の計測値から加湿フィルターの使用開始時から運転可能時間を設定する加湿装置に関する。
【背景技術】
【０００２】
従来、この種の加湿装置の一例として、水の汚れを電極間の電流値の変化で水の交換時期を報知する超音波加湿器の制御装置が知られている（特許文献１参照）。
【０００３】
以下、その超音波加湿器の制御装置について図１５および図１６を参照しながら説明する。
【０００４】
図に示すように、電圧発生回路１０１より発生する電源に渇水検出スイッチ１０２と、水汚染センサー１０３と、マイコン１０４と、報知手段１０５とを接続し、水が減ってある量以下になったとき、渇水検出スイッチ１０２が渇水であることを検出し、マイコン１０４により報知手段１０５を駆動して渇水を報知させ、また、水汚染センサー１０５の電極間のイオン量を電流としてとらえ、電流を電圧に変換し、マイコン１０４のＡ／Ｄ（アナログ−デジタル変換）ポートに入力させ、ある規定の電圧以上のとき、水汚染が高いと運転を停止するとともに、水汚染報知信号を出力し、報知手段１０５で水汚染を報知する様に構成している。
【特許文献１】特開平５−６０３７０号公報（［００１５］〜［００１８］、図１）
【発明の開示】
【発明が解決しようとする課題】
【０００５】
このような従来の超音波加湿器の制御装置では、超音波加湿器の水の汚れを電極間の電流値の変化でとらえて水の交換時期を報知するものであり、水の硬度の基となるマグネシウムやカルシウムの不純物は、加湿時に空中に排出されるが、加湿フィルターを用いた気化式加湿器では、マグネシウムやカルシウムの不純物は水中に残り、加湿フィルターに付着して加湿能力を低下させ、加湿フィルターの表面に固着すると再生が難しくなるという課題があり、加湿フィルターにマグネシウムやカルシウムの不純物が付着して加湿能力が低下しないようにすることが要求されている。
【０００６】
本発明は、このような従来の課題を解決するものであり、加湿フィルターがマグネシウムやカルシウムの不純物が付着して加湿能力が低下しないように加湿フィルターの洗浄時期までの運転可能時間を設定することのできる加湿装置を提供することを目的としている。
【課題を解決するための手段】
【０００７】
本発明の加湿装置は上記目的を達成するために、吸込口と吹出口を連通し形成された空気流路に設けた本体と、この本体の空気流路に設けられる送風手段および加湿フィルターを設けた加湿手段と、この加湿手段の加湿フィルターに水を供給する給水手段と、この給水手段から供給された水を蓄える水槽と、この水槽内に設けた電気伝導度を計測する計測手段と、前記本体に設けた送風手段および加湿手段等を運転制御する制御手段とを備え、前記制御手段を、前記計測手段による電気伝導度の計測値により、前記加湿フィルターの使用開始からの運転可能時間を設定する構成としたものである。
【０００８】
この手段により、加湿フィルターの洗浄時期までの運転可能時間を設定することができることにより、加湿フィルターの加湿能力が低下しない加湿装置が得られる。
【０００９】
また、他の手段は、加湿フィルターの使用開始時を、計測手段により計測された電気伝導度が零のときとしたものである。
【００１０】
この手段により、水槽に給水されていない状態で電気伝導度が零を計測すると、記録している運転時間を自動的に再設定することができる加湿装置が得られる。
【００１１】
また、他の手段は、本体の表面に報知手段を設け、制御手段は加湿フィルターの運転時間が加湿フィルター洗浄までの運転可能時間より一定時間前に、前記報知手段を駆動して加湿フィルターが洗浄時期に近づいたことを報知する構成としたものである。
【００１２】
この手段により、加湿フィルターを洗浄すべき時期に近づいたことを使用者に予め報知することができる加湿装置が得られる。
【００１３】
また、他の手段は、制御手段は運転時間と停止時間の計測値に応じて、設定した加湿フィルターの運転可能時間を変更可能としたものである。
【００１４】
この手段により、停止時間の長短に応じて、加湿フィルターの洗浄までの運転可能時間を再設定することにより、使用状態に合わせた洗浄時期が得られるという加湿装置が得られる。
【００１５】
また、他の手段は、制御手段は加湿フィルターを通過する全送風量の多少に応じて、設定した加湿フィルターの運転可能時間を変更可能としたものである。
【００１６】
この手段により、加湿フィルターを通過した風量に対応して運転可能時間を再設定することで、加湿フィルターの洗浄までの時間を正しく設定できる加湿装置が得られる。
【００１７】
また、他の手段は、加熱手段の通電制御により温風運転と通風運転を切り換え可能に設け、温風運転と通風運転の運転時間に応じて、設定した加湿フィルターの運転可能時間を変更可能としたものである。
【００１８】
この手段により、温風運転が汚れを進行させるものとして、加湿フィルター洗浄までの運転可能時間を再設定することで、加湿フィルターの洗浄までの時間を正しく設定することができる加湿装置が得られる。
【００１９】
また、他の手段は、運転時間が設定した加湿フィルターの運転可能時間を超えたときには、制御手段は加湿運転を自動停止する構成としたものである。
【００２０】
この手段により、使用者にとって加湿フィルターが洗浄しやすく、汚れが固着しないので、再利用が容易にできる加湿装置が得られる。
【００２１】
また、他の手段は、制御手段を、加湿運転を自動停止したときは、異なる報知表現をするように報知手段を駆動して加湿フィルターの洗浄時期となったことを報知する構成としたものである。
【００２２】
この手段により、使用者にわかりやすく表示することができ、加湿フィルターの洗浄作業または交換作業を促すことができる加湿装置が得られる。
【発明の効果】
【００２３】
本発明によれば加湿フィルターの洗浄時期までの運転可能時間を設定することができ、加湿フィルターの加湿能力が低下しないという効果のある加湿装置を提供できる。
【００２４】
また、加湿フィルターの洗浄後または新規の取付時において水槽に給水されていない状態で電気伝導度が零を計測すると、記録している運転時間を自動的にリセットすることができるという効果のある加湿装置が得られる。
【００２５】
また、加湿フィルターの洗浄お手入れ時期に近づいたことを使用者に報知することができるという効果のある加湿装置を提供できる。
【００２６】
また、停止時間を含めた使用状態に合わせて洗浄時期が得られるという効果のある加湿装置を提供できる。
【００２７】
また、加湿フィルターの洗浄までの運転可能時間を再設定することで、加湿フィルターの洗浄までの時間を正しく設定できるという効果のある加湿装置を提供できる。
【００２８】
また、温風運転を検出して、加湿フィルターの洗浄までの運転可能時間を再設定することで、加湿フィルターの洗浄までの時間を正しく設定することができるという効果のある加湿装置を提供できる。
【００２９】
また、使用者にとって加湿フィルターが洗浄しやすく、汚れが固着しないので再利用が容易にできるという効果のある加湿装置を提供できる。
【００３０】
また、使用者にわかりやすく表示することができ、加湿フィルターの洗浄作業または交換作業を促すことができるという効果のある加湿装置を提供できる。
【発明を実施するための最良の形態】
【００３１】
本発明の請求項１記載の発明は、吸込口と吹出口を連通し形成された空気流路を設けた本体と、この本体の空気流路に設けられる送風手段および加湿フィルターを設けた加湿手段と、この加湿手段の加湿フィルターに水を供給する給水手段と、この給水手段から供給された水を蓄える水槽と、この水槽内に設けた電気伝導度を計測する計測手段と、前記本体に設けた送風手段および加湿手段等を運転制御する制御手段とを備え、前記制御手段は前記計測手段による電気伝導度の計測値により前記加湿フィルターの使用開始からの運転可能時間を設定する構成としたものであり、水の硬度と相関をもつ電気伝導度と、水の硬度により加湿フィルターが目詰まりを起こすまでの運転時間との関係を定めた基準表をあらかじめ記録し、加湿フィルターを洗浄後または初めて使用するときに、電気伝導度の計測値と基準表からの運転可能時間を制御手段が設定するという作用を有する。
【００３２】
また、請求項２記載の発明は、加湿フィルターの使用開始時を、計測手段により計測された電気伝導度が零のときとしたものであり、加湿フィルターを新規または洗浄後に本体内に取り付け、次に本体のメインスイッチを入れると、水槽に水がない状態の電気伝導度零を計測手段が計測し、制御手段はその計測値より加湿フィルターが使用開始されると判断して、運転時間を零に設定する。そして、給水後は次のステップである加湿フィルターの洗浄時期までの運転可能時間を設定することができるという作用を有する。
【００３３】
また、請求項３記載の発明は、本体の表面に報知手段を設け、制御手段は加湿フィルターの運転時間が加湿フィルター洗浄までの運転可能時間より一定時間前に、前記報知手段を駆動して加湿フィルターが洗浄時間に近づいたことを報知する構成としたものであり、水の電気伝導度の計測値で設定された運転可能時間より数時間前に表示ランプを点灯させることができるという作用を有する。
【００３４】
また、請求項４記載の発明は、制御手段は運転時間と停止時間の計測値に対応して、加湿フィルターの設定された運転可能時間を変更可能としたものであり、本体の運転時間に比べて停止時間が長い場合は、加湿フィルター表面の乾燥による固着や細菌繁殖などの他の要因で加湿フィルターの目詰まりが進行する場合があり、そういう現象を想定して、加湿手段は停止時間からの変換式で短縮した運転可能時間を再設定できるという作用を有する。
【００３５】
また、請求項５記載の発明は、制御手段は加湿フィルターを通過する送風量の多少に応じて、設定した加湿フィルターの運転可能時間を変更可能としたものであり、標準より送風量大で運転すると、加湿量が増大して加湿フィルターの汚れが大きくなり、加湿フィルターの洗浄までの運転可能時間が短くなる現象に対応して、加湿フィルターの運転可能時間を短縮するという作用を有する。
【００３６】
また、請求項６記載の発明は、加熱手段の通電制御により温風運転と通風運転を切り換え可能に設け、温風運転と通風運転の運転時間に応じて、設定した加湿フィルターの運転可能時間を変更可能としたものであり、標準より温風運転時間が長いと加湿量が増大し、加湿フィルターの汚れが大きくなり加湿フィルターの洗浄までの運転時間が短くなる現象に対応して、加湿フィルターの運転可能時間を短縮するという作用を有する。
【００３７】
また、請求項７記載の発明は、運転時間が加湿フィルターの設定可能時間を超えたときには、制御手段は加湿運転を自動停止するものであり、加湿フィルターが洗浄時期に達したことを使用者に告知するとともに、目詰まりをそれ以上進行しないようにすることができるという作用を有する。
【００３８】
また、請求項８記載の発明は、制御手段が加湿運転を自動停止したときは、異なる報知表現をするように報知手段を駆動して、加湿フィルターの洗浄時期となったことを報知する構成としたものであり、突然に加湿運転が停止すると、使用者が加湿装置の故障と誤解する場合があるので、報知手段を点灯表示から点滅表示に変えて分かり易く表示することができるという作用を有する。
【００３９】
以下、本発明の実施の形態について図面を参照しながら説明する。
【００４０】
（実施の形態１）
図１〜図５に示すように、吸込口１と吹出口２を連通し形成された空気流路３を設けた本体４と、本体４の空気流路３に設けられる送風手段５および回転手段６により回転される加湿フィルター７を設けた加湿手段８と、加湿手段８の加湿フィルター７に水を供給する給水手段９と、給水手段９から供給された水を蓄える水槽１０と、水槽１０内に設けた電気伝導度を計測する計測手段１１と、本体４に設けた送風手段５と加湿手段８等の運転を制御する制御手段１２を設け、制御手段１２には、計測手段１１、計時手段１３、操作スイッチ１４、記録メモリ１５等が接続されている。
【００４１】
また、本体４の表面に表示ランプ１６で報知する報知手段１７を設け、報知手段１７に接続される制御手段１２は、加湿フィルター７の運転時間が加湿フィルター７の洗浄までの運転可能時間より一定時間前に、報知手段１７を駆動して加湿フィルター７が洗浄時間に近づいたことを報知するように設け、運転可能時間については、使用水の硬度、使用水の電気伝導度により（表１）に示すように設定され構成する。
【００４２】
【表１】
2007139286.tif 000003
【００４３】
上記構成において、操作スイッチ１４の操作により制御手段１２を介して運転される加湿装置の運転動作についてフローチャートに基づいてその動作を説明する。
【００４４】
ステップ１８で加湿装置に電源が投入され、ステップ１９で計測手段１１により水槽１０の電気伝導度が計測され、ステップ２０で電気伝導度は零かどうかが判断され、零でない場合は、ステップ２１で、運転時間Ｔｘは零かどうかが判断され、運転時間Ｔｘが零の場合は、ステップ２２で（表１）の運転可能時間Ｔ１が設定される。ステップ２３で加湿運転を開始し、ステップ２４で運転時間Ｔｘを計測、記録し、ステップ２５で運転時間Ｔｘが運転可能時間Ｔ１から所定時間Ａをマイナスした時間より大きいかどうかが判断され、大きい場合にはステップ２６で報知手段１７の表示ランプ１６が点灯して報知される。ステップ２７で運転時間Ｔｘが運転可能時間Ｔ１より大きいかどうかが判断され、大きい場合には、ステップ２８で自動的に運転が停止され、ステップ２９で表示ランプ１６が点滅して表示される。
【００４５】
また、ステップ２０で電気伝導度が零かどうかを判断したときに、零の場合には、ステップ３０で運転時間Ｔｘが零と確認された場合には、ステップ３１において水槽１０に給水され、ステップ２０で水槽１０内の電気伝導度を計測する。また、ステップ２１で運転時間Ｔｘが零かどうかを判断され、零でない場合にはステップ３２で記録した運転可能時間Ｔ１と運転時間Ｔｘが使用され、ステップ２３に移る。
【００４６】
ステップ２５で運転時間Ｔｘが運転可能時間Ｔ１より所定時間Ａを差し引いた時間より小さい場合と、ステップ２７で運転時間Ｔｘが運転可能時間Ｔ１より小さいと判断された場合には、ステップ２４に戻る。
【００４７】
このように実施の形態１によれば、吸込口１と吹出口２を連通し形成された空気流路３を設けた本体４と、本体４の空気流路３に設けられる送風手段６および加湿フィルター７を設けた加湿手段８と、加湿手段８の加湿フィルター７に水を供給する給水手段９と、給水手段９から供給された水を蓄える水槽１０と、水槽１０内に設けた電気伝導度を計測する計測手段１１と、本体４に設けた送風手段５および加湿手段８等を運転制御する制御手段１２とを備え、制御手段１２は計測手段１１により電気伝導度の計測値により加湿フィルター７の使用開始からの運転可能時間を設定する構成としたので、水の硬度と相関をもつ電気伝導度の計測値を、水の硬度により加湿フィルター７が目詰まりを起こすまでの運転時間との関係を定めた基準表に基づき換算することにより、加湿フィルター７を洗浄後または新規に使用するときに、電気伝導度の計測値と基準表から運転可能時間を制御手段１２が設定することができる。
【００４８】
そして、溜水に含まれるカルシウムやマグネシウムなどの不純物が加湿フィルター７に付着することで加湿量が低下するが、加湿フィルター７に付着する不純物量は水の硬度と、運転時間によって決定される。また、水の硬度と電気伝導度は、ほぼ反比例関係にあるので、水の電気伝導度の計測値で、加湿フィルター７の洗浄時間までの運転可能時間が設定でき、加湿フィルター７に多量の不純物が付着して加湿能力が低下するのを防止できることとなる。
【００４９】
また、加湿フィルター７の使用開始時を、計測手段１１により計測された電気伝導度が零のときとしたので、加湿フィルター７を新規または洗浄後に本体４内に取り付け、次に本体４の操作スイッチ１４を入れると、水槽１０内の水がない状態の電気伝導度零を計測手段１１が計測し、制御手段１２は、その計測値より加湿フィルター７が使用開始されると判断して運転時間Ｔｘを零に設定する。また、給水後は次のステップである加湿フィルター７の洗浄時期までの運転可能時間Ｔ１を設定する。
【００５０】
なお、計測手段１１に通電する前に水槽１０に給水した場合には、操作スイッチ１４のリセットスイッチを使用することで、運転時間Ｔｘを零に設定することができる。
【００５１】
そして、加湿能力を回復させるための加湿フィルター７の洗浄後に、水槽１０に給水されていない状態、すなわち、電気伝導度が零を計測すると、記録している運転時間Ｔｘを自動的にリセットすることができる。
【００５２】
また、本体４の表面に表示ランプ１６からなる報知手段１７を設け、制御手段１２を、加湿フィルター７の運転時間が加湿フィルター７の洗浄までの運転可能時間Ｔ１より一定時間前に、報知手段１７を駆動して加湿フィルター７が洗浄時期に近づいたことを報知する構成としたので、水の電気伝導度の計測値で設定された運転時間Ｔ１より数時間（所定時間Ａ）前に表示ランプ１６を点灯させ、加湿フィルター７の洗浄お手入れ時期に近づいたことを使用者に報知することができることとなる。
【００５３】
（実施の形態２）
図１〜図４および図６に示すように、制御手段１２は運転時間Ｔｘとともに停止時間Ｔｙを計測し記録する。次に運転時間Ｔｘから前述の（表１）により運転可能時間Ｔ１を設定し、停止時間Ｔｙを（式１）に代入して、運転可能時間Ｔ２を計算して、運転可能時間を再設定している。
【００５４】
【数１】
2007139286.tif 000004
【００５５】
上記構成の加湿装置の運転動作について、図６のフローチャートを用いて説明する。まずステップ３３で加湿運転が実施され、ステップ３４で加湿運転を一時停止した場合には、ステップ３５で停止時間Ｔｙの計測を行ない、ステップ３６で加湿運転が再開されるまでの停止時間Ｔｙを記録する。ステップ３７で運転時間Ｔｘを計測、記録し、ステップ３８で運転時間Ｔｘ、停止時間Ｔｙ、（式１）に基づき運転可能時間Ｔ２を設定する。ステップ３９で、運転時間Ｔｘが運転可能時間Ｔ２から所定時間Ａをマイナスした時間より大きいかどうかを判断し、大きいときには、ステップ４０で表示ランプ１６が点灯して加湿フィルター７の交換時期が近づいたことを報知するが、運転は継続される。ステップ４１で運転時間Ｔｘが運転可能時間Ｔ２より大きいかどうかを判断し、大きい場合にはステップ４２で自動的に運転が停止され、ステップ４３で表示ランプ１６が点滅して表示され、運転停止を報知する。
【００５６】
また、ステップ３９で運転時間Ｔｘが、運転可能時間Ｔ２より所定時間Ａを差し引いた時より小さい場合と、ステップ４１で運転時間Ｔｘが運転可能時間Ｔ２より小さいと判断された場合には、ステップ３７に戻ることとなる。
【００５７】
このように実施の形態２によれば、制御手段１２は運転時間Ｔｘと停止時間Ｔｙをそれぞれ計測し、加湿フィルター７の設定された運転可能時間Ｔ１を運転可能時間Ｔ２に変更可能としたので、本体４の運転時間Ｔｘに比べて停止時間Ｔｙが長い場合は、加湿フィルター７の表面の乾燥による固着や、細菌繁殖などの他の要因で加湿フィルター７の目詰まりが進行する場合があり、そういう現象を想定して加湿手段８を停止時間Ｔｙから（式１）の変換式で短縮した運転可能時間Ｔ２を再設定する。
【００５８】
このように、加湿装置の運転停止中は、加湿フィルター７の目詰まりが進行する場合があり、停止時間Ｔｙの長短に応じて、加湿フィルター７の洗浄までの運転可能時間Ｔ２を再設定することにより、使用状態に合わせた洗浄時期がえられることとなる。
【００５９】
（実施の形態３）
図１〜図４および図７に示すように、制御手段１２は加湿フィルター７を通過する送風量の多少に応じて前記加湿フィルター７の運転可能時間を変換可能に形成し、その変換式を（式２）に示す。
【００６０】
【数２】
2007139286.tif 000005
【００６１】
ここでＴｗは送風量を最大としたときの運転時間とする。
【００６２】
上記構成の加湿運転の運転動作についてフローチャートに基づいて説明する。
【００６３】
ステップ４４で加湿運転が実施され、ステップ４５で最大送風時の運転時間Ｔｗを計測、記録し、ステップ４６で加湿装置の運転時間Ｔｘを計測、記録し、ステップ４７で最大送風運転時間Ｔｗと運転時間Ｔｘより（式２）を用いて運転可能時間Ｔ３を設定する。ステップ４８で運転時間Ｔｘが運転可能時間Ｔ３から所定時間Ａを差し引いた時間より大きいかどうかを判断し、大きい場合にはステップ４９で表示ランプ１６Ｂが点灯し、ステップ５０で運転時間Ｔｘが運転可能時間Ｔ３より大きいかどうかを判断し、大きい場合には、ステップ５１で自動的に運転を停止し、ステップ５２で表示ランプ１６を点滅させて報知する。
【００６４】
また、ステップ４６で運転時間Ｔｘが運転可能時間Ｔ３から所定時間Ａを差し引いた時間より小さいと判断された場合と、ステップ４８で運転時間Ｔｘが運転可能時間Ｔ３より小さいと判断された場合にはステップ４５に戻る。
【００６５】
このように実施の形態３によれば、制御手段１２は加湿フィルター７を通過する送風量の多少に応じて加湿フィルター７の運転可能時間Ｔ３を変更可能としたので、送風量大で運転すると加湿量が増大し、加湿フィルター７の汚れが大きくなり加湿フィルター７の洗浄までの運転可能時間Ｔ３が短くなる現象に対応して、運転可能時間Ｔ３を計算して再設定することができる。
【００６６】
すなわち、一時的に送風量が大きくなると加湿量が増加し、並行して加湿フィルター７に付着する不純物質が多くなるので、最大送風時の運転時間Ｔｗの変動要素を組み入れて、加湿フィルター７の洗浄までの運転時間Ｔ３を再設定することで、加湿フィルター７の洗浄までの時間を正しく設定できることとなる。
【００６７】
（実施の形態４）
図１〜図３、図８および図９に示すように、加熱手段５３の通電制御により、温風運転と通風運転を切り換え可能に設け、温風運転と通風運転の運転時間に応じて、加湿フィルター７の運転可能時間の設定を変更可能に形成し、その変換式を（式３）に示す。
【００６８】
【数３】
2007139286.tif 000006
【００６９】
上記構成の加湿装置の運転動作についてフローチャートに基づいて説明する。ステップ５４で加湿運転が実施され、ステップ５５で温風運転時間Ｔｚを計測、記録し、ステップ５６で運転時間Ｔｘを計測、記録し、ステップ５７で温風運転時間Ｔｚと運転時間Ｔｘから運転可能時間Ｔ４を設定する。ステップ５８で運転時間Ｔｘが運転可能時間Ｔ４から所定時間Ａを差し引いた時間より大きいかどうかを判断し、大きい場合は、ステップ５９で表示ランプ１６を点灯する。ステップ６０で運転時間Ｔｘが運転可能時間Ｔ４より大きいかどうかを判断し、大きい場合にはステップ６１で自動的に運転を停止し、ステップ６２で表示ランプ１６Ｃを点滅して報知する。
【００７０】
また、ステップ５８で運転時間Ｔｘが運転可能時間Ｔ４から所定時間Ａを差し引いた時間より小さい場合と、ステップ６０で運転時間Ｔｘが運転可能時間Ｔ４より小さいと判断された場合にはステップ５５に戻る。
【００７１】
このように実施の形態４によれば、加熱手段５３の通電有無により、温風運転と通風運転を切り換え可能に設け、温風運転と通風運転の運転時間に応じて加湿フィルター７の運転可能時間Ｔ４の設定を変更可能としているので、温風運転時間が長いときは加湿量が増大し、加湿フィルター７の汚れが大きくなり、加湿フィルター７の洗浄までの運転可能時間Ｔ４を短く設定することができる。
【００７２】
すなわち、温風運転の方が温風運転に比べて加湿量が増加し、並行して加湿フィルター７に付着する不純物量が多くなるので、温風運転時間Ｔｚを計測して加湿フィルター７の洗浄までの運転可能時間Ｔ４を再設定することで、加湿フィルター７の洗浄までの時間を正しく設定することができることとなる。
【００７３】
（実施の形態５）
図１〜図５に示すように、運転時間が加湿フィルター７の運転可能時間Ｔ１を超えたときには、制御手段１２は加湿運転を自動停止する構成とする。
【００７４】
上記構成において、運転時間が加湿フィルター７の設定可能時間を超えたときには、送風手段５、加湿手段８による加湿運転を自動的に停止され、加湿フィルター７の洗浄時期に達したことを使用者に告知するとともに、目詰まりをそれ以上に進行しないようにすることができ、使用条件に合わせた運転可能時間となったときに自動的に停止することにより、使用者にとって加湿フィルター７の洗浄がし易く、汚れが固着しないので再利用が容易にできることとなる。
【００７５】
なお、本実施の形態では運転可能時間Ｔ１としているが、設定変更した運転可能時間Ｔ２〜Ｔ４としても同様の効果が得られる。
【００７６】
（実施の形態６）
図１〜図５に示すように、制御手段１２は加湿運転を自動停止したときは、異なる報知表現をするように報知手段１７を駆動して加湿フィルター７の洗浄時期になったことを報知する構成とする。
【００７７】
上記構成において、送風手段５と加湿手段８よりなる加湿運転を自動停止したときは、報知手段１７を通常の報知表現とは異なるように駆動して加湿フィルター７の洗浄時期になったことを報知することができ、突然に加湿運転が停止すると使用者が加湿装置の故障と誤解する場合があるので、報知手段１７を点灯表示から点滅表示に変えたりして、加湿装置が故障でないことをわかるように報知し、加湿フィルター７の洗浄時期に達したことを、使用者にわかりやすく表示することで加湿フィルター７の洗浄作業または交換作業を促すことができることとなる。
【産業上の利用可能性】
【００７８】
水道水に含まれる不純物により加湿フィルターの目詰まりが生じるのを、洗浄か容易な時期に使用者に知らしめることのできる技術を用いることにより、水道水または地下水を使用したクーリングタワーのフィルター目詰まりを検出して点検時期を報知する用途にも利用できる。
【図面の簡単な説明】
【００７９】
【図１】本発明の実施の形態１〜６の加湿装置の正面断面図
【図２】同加湿装置の側面断面図
【図３】同加湿装置の斜視図
【図４】同加湿装置のブロック回路図
【図５】同加湿装置の動作を示すフローチャート
【図６】本発明の実施の形態２の加湿装置の動作を示すフローチャート
【図７】本発明の実施の形態３の加湿装置の動作を示すフローチャート
【図８】本発明の実施の形態４の加湿装置のブロック回路図
【図９】同加湿装置の動作を示すフローチャート
【図１０】従来の超音波加湿器の制御装置の回路図
【図１１】同水汚染センサーの取付状態図
【符号の説明】
【００８０】
１    吸込口
２    吹出口
３    空気流路
４    本体
５    送風手段
７    加湿フィルター
８    加湿手段
９    給水手段
１０  水槽
１１  計測手段
１２  制御手段
１６  表示ランプ
１７  報知手段
５３  加熱手段
【図１】
2007139286.tif 000007
【図２】
2007139286.tif 000008
【図３】
2007139286.tif 000009
【図４】
2007139286.tif 000010
【図５】
2007139286.tif 000011
【図６】
2007139286.tif 000012
【図７】
2007139286.tif 000013
【図８】
2007139286.tif 000014
【図９】
2007139286.tif 000015
【図１０】
2007139286.tif 000016
【図１１】
2007139286.tif 000017